【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
静電潜像が形成される像担持体と、
前記像担持体上に現像剤を供給することによって、前記像担持体上の静電潜像を現像剤像に現像する現像手段と、
前記像担持体とともに第１転写部を形成し、前記第１転写部で前記像担持体上の現像剤像が転写される中間転写体と、
前記中間転写体とともに第２転写部を形成し、前記第２転写部で前記中間転写体上の現像剤像を記録材に転写させる転写部材と、
前記像担持体上の現像剤を回収する像担持体清掃部材と、
前記中間転写体上の現像剤を回収する中間転写体清掃部材と、
を備えた画像形成装置において、
前記現像手段により現像された前記像担持体上の現像剤像が前記第１転写部及び前記第２転写部を介して記録材に転写される画像形成動作が行われる場合とは異なるタイミングで、前記現像手段により前記像担持体上に調整用現像剤像を形成することが可能であり、
前記像担持体上に前記調整用現像剤像が形成された場合に、前記調整用現像剤像を前記像担持体清掃部材により回収させる第１調整モードと、前記調整用現像剤像を前記中間転写体清掃部材により回収させる第２調整モードと、をそれぞれ実行させるかどうかを決定する決定手段を備えることを特徴とする画像形成装置。
【請求項２】
前記決定手段は、画像形成装置を構成する構成部材の使用量が、所定量以上であるかどうかを判定する判定手段を備え、
前記決定手段は、
前記判定手段により前記構成部材の使用量が前記所定量未満であると判定された場合、前記第１調整モードのみ実行させる決定をし、
前記判定手段により前記構成部材の使用量が前記所定量以上であると判定された場合、前記第１調整モード及び前記第２調整モードをそれぞれ実行させる決定をすることを特徴とする請求項１に記載の画像形成装置。
【請求項３】
前記構成部材は、前記転写部材であることを特徴とする請求項２に記載の画像形成装置。
【請求項４】
前記構成部材は、前記中間転写体清掃部材であることを特徴とする請求項２に記載の画像形成装置。
【請求項５】
前記第２転写部に電界を形成する第２転写部電界形成手段を備え、
前記第２調整モードを実行する場合、前記調整用現像剤像は前記像担持体から前記中間転写体に転写され、前記第２転写部電界形成手段により、前記画像形成動作が行われる場合とは逆極性の電界を前記第２転写部に形成させることにより、前記中間転写体上の前記調整用現像剤像を前記中間転写体清掃部材まで搬送させることを特徴とする請求項１乃至４のいずれか１項に記載の画像形成装置。
【請求項６】
前記第１転写部に電界を形成する第１転写部電界形成手段を備え、
前記第１調整モードを実行する場合、前記第１転写部電界形成手段により、前記画像形成動作が行われる場合とは逆極性の電界を前記第１転写部に形成させることにより、前記像担持体上の前記調整用現像剤像を前記像担持体清掃部材まで搬送させることを特徴とする請求項１乃至５のいずれか１項に記載の画像形成装置。
【請求項７】
前記像担持体と前記中間転写体とを離間させる接離手段を備え、
前記第１調整モードを実行する場合、前記接離手段により、前記像担持体と前記中間転写体とを離間させることにより、前記像担持体上の前記調整用現像剤像を前記像担持体清掃部材まで搬送させることを特徴とする請求項１乃至６のいずれか１項に記載の画像形成装置。
【請求項８】
静電潜像が形成される像担持体と、
前記像担持体上に現像剤を供給することによって、前記像担持体上の静電潜像を現像剤像に現像する現像手段と、
前記像担持体とともに転写部を形成し、かつ、記録材を保持して搬送する記録材搬送体と、
前記像担持体上の現像剤を回収する像担持体清掃部材と、
前記記録材搬送体上の現像剤を回収する記録材搬送体清掃部材と、
を備えた画像形成装置において、
前記現像手段により現像された前記像担持体上の現像剤像が前記転写部を介して記録材に転写される画像形成動作が行われる場合とは異なるタイミングで、前記現像手段により前記像担持体上に前記調整用現像剤像を形成することが可能であり、
前記像担持体上に前記調整用現像剤像が形成された場合に、前記調整用現像剤像を前記像担持体清掃部材により回収させる第１調整モードと、前記調整用現像剤像を前記記録材搬送体清掃部材により回収させる第２調整モードと、をそれぞれ実行させるかどうかを決定する決定手段を備えることを特徴とする画像形成装置。
【請求項９】
前記決定手段は、画像形成装置を構成する構成部材の使用量が、所定量以上であるかどうかを判定する判定手段を備え、
前記決定手段は、
前記判定手段により前記構成部材の使用量が前記所定量未満であると判定された場合、前記第１調整モードのみ実行させる決定をし、
前記判定手段により前記構成部材の使用量が前記所定量以上であると判定された場合、前記第１調整モード及び前記第２調整モードをそれぞれ実行させる決定をすることを特徴とする請求項８に記載の画像形成装置。
【請求項１０】
前記構成部材は、前記記録材搬送体清掃部材であることを特徴とする請求項９に記載の画像形成装置。
【請求項１１】
前記転写部に電界を形成する転写部電界形成手段を備え、
前記第１調整モードを実行する場合、前記転写部電界形成手段により、前記画像形成動作が行われる場合とは逆極性の電界を前記転写部に形成させることにより、前記像担持体上の前記調整用現像剤像を前記像担持体清掃部材まで搬送させることを特徴とする請求項８乃至１０のいずれか１項に記載の画像形成装置。
【請求項１２】
前記像担持体と前記記録材搬送体とを離間させる接離手段を備え、
前記第１調整モードを実行する場合、前記接離手段により、前記像担持体と前記記録材搬送体とを離間させることにより、前記像担持体上の前記調整用現像剤像を前記像担持体清掃部材まで搬送させることを特徴とする請求項８乃至１１のいずれか１項に記載の画像形成装置。
【手続補正２】
【補正対象書類名】明細書
【補正対象項目名】００２０
【補正方法】変更
【補正の内容】
【００２０】
上記目的を達成するために本発明にあっては、
静電潜像が形成される像担持体と、
前記像担持体上に現像剤を供給することによって、前記像担持体上の静電潜像を現像剤像に現像する現像手段と、
前記像担持体とともに第１転写部を形成し、前記第１転写部で前記像担持体上の現像剤像が転写される中間転写体と、
前記中間転写体とともに第２転写部を形成し、前記第２転写部で前記中間転写体上の現像剤像を記録材に転写させる転写部材と、
前記像担持体上の現像剤を回収する像担持体清掃部材と、
前記中間転写体上の現像剤を回収する中間転写体清掃部材と、
を備えた画像形成装置において、
前記現像手段により現像された前記像担持体上の現像剤像が前記第１転写部及び前記第２転写部を介して記録材に転写される画像形成動作が行われる場合とは異なるタイミングで、前記現像手段により前記像担持体上に調整用現像剤像を形成することが可能であり、
前記像担持体上に前記調整用現像剤像が形成された場合に、前記調整用現像剤像を前記像担持体清掃部材により回収させる第１調整モードと、前記調整用現像剤像を前記中間転写体清掃部材により回収させる第２調整モードと、をそれぞれ実行させるかどうかを決定する決定手段を備えることを特徴とする。
静電潜像が形成される像担持体と、
前記像担持体上に現像剤を供給することによって、前記像担持体上の静電潜像を現像剤像に現像する現像手段と、
前記像担持体とともに転写部を形成し、かつ、記録材を保持して搬送する記録材搬送体と、
前記像担持体上の現像剤を回収する像担持体清掃部材と、
前記記録材搬送体上の現像剤を回収する記録材搬送体清掃部材と、
を備えた画像形成装置において、
前記現像手段により現像された前記像担持体上の現像剤像が前記転写部を介して記録材に転写される画像形成動作が行われる場合とは異なるタイミングで、前記現像手段により前記像担持体上に前記調整用現像剤像を形成することが可能であり、
前記像担持体上に前記調整用現像剤像が形成された場合に、前記調整用現像剤像を前記像担持体清掃部材により回収させる第１調整モードと、前記調整用現像剤像を前記記録材
搬送体清掃部材により回収させる第２調整モードと、をそれぞれ実行させるかどうかを決定する決定手段を備えることを特徴とする。